(57)【特許請求の範囲】
【請求項１】
幅＞高さ＞厚さの関係を持つ略直方体のカメラボディと、
前記カメラボディの背面に配置されるファインダー機能と共に記録した画像を再生表示する画像表示部と、
前記カメラボディに収納される、
前面側に配置される第１の信号処理回路基板と、前記第１の信号処理回路基板と略並行であって背面側に配置される第２の信号処理回路基板とからなる信号処理回路基板と、
前記第１の信号処理回路基板と前記第２の信号処理回路基板との間に配置される記録媒体収納部と、
前記信号処理回路基板及び前記記録媒体収納部の上部、且つ、該カメラボディの幅方向に配置された、レンズ部及び撮像部とからなる光学系であって光学全長が前記厚さよりも長い結像光学系と、
前記結像光学系のレンズ前方に配置された光軸を直角に曲げるミラーと、
を備えることを特徴とする電子映像カメラ。
【発明の詳細な説明】
【０００１】
【発明の属する技術分野】
本発明は、磁気記録媒体やメモリーカードなどの半導体記録媒体に画像記録する小型で携帯性に優れたビデオカメラや電子スチルカメラなどの電子映像カメラに関する。
【０００２】
【従来の技術】
従来の電子映像カメラは、撮影レンズを通して得られた被写体像を固体撮像素子で光電変換する撮像部と、その光電変換した信号を記録媒体に記録する信号にする信号処理部と、記録媒体を含む記録部と、ファインダー機能と共に記録した画像を再生表示する画像表示部とからなり、これらの要素ユニットを含むカメラボディの形態は次の二つの例のようになっている。
【０００３】
図３及び図４は、電子映像カメラの従来例を示す。図３は、撮影ズームレンズ部３０と固体撮像素子回路部３１がカメラボディ３２横に配置されている例であり、この両者が図示されていないメインフレームに固定され、更に信号処理回路基板部３３、記録媒体３４の収納部３５及び同接続回路部３６、バッテリー部３７、カメラボディ３２の背面に表示部を持つ液晶画像表示部３８などが固定された後、このメインフレームにカメラボディ３２を取り付ける方式であり、カメラボディ３２の外形は横長に大きくなる。更に、光学全長が長い（光軸方向に延在させた）ズームレンズ部３０はカメラボディ３２より前方に大きく突出したものになる。
【０００４】
図４は、上記と同様に撮影ズームレンズ部３０と固体撮像素子回路部３１を横に配置したものであるが、ズームレンズ部３０がカメラボディ３２より突出しないように奥行きのある板状にしたものであり、図示しないメインフレームに前記ズームレンズ部３０や固体撮像素子回路部３１、信号処理回路基板部３３、記録媒体収納部３５及び同接続回路部３６、バッテリー部３７を固定した後、カメラボディ３２を取り付ける。更に、このカメラボディ３２上面に折りたたみ式の液晶画像表示部３８を設置する。この方式では、カメラボディは厚くなる。
【０００５】
また、この二つの従来例では信号処理回路部の面積をとる必要から１枚当たりの基板を大きくしたり、または基板の枚数を増やしてコネクター接続の積層構造にしなければならない。また、撮像光学系などの内容物に基板が当たるのを避けるため基板の一部を切り欠いたりしなければならない。このようにすることで、カメラボディ外形が全体的に大きくなる。
【０００６】
【発明が解決しようとする課題】
従来の通常のコンパクトカメラタイプの電子映像カメラにおいては、ズームレンズなどの光学系全長の長い結像光学系をカメラボディに搭載した場合はズームレンズ部が突出したカメラ形態となり、また基板面積も広くとる必要性からカメラは大きくなり、デザイン上コンパクトにまとまらず、重量バランスが悪く操作性も悪くなる。
【０００７】
更に、奥行き方向に長い板状のカメラ形態においては、ズームレンズ部は突出することなくカメラボディ内に収まるが、上記と同様に基板面積を広くとる必要からカメラボディは大きくなり、且つ液晶画像表示部はカメラ上面に設けられているのでカメラ全体は厚みの厚いものになり、撮影及び再生時は画像表示部を立てて見るのでカメラホールド性が悪く、シャッターボタンやズームボタンやその他モードボタンなどの配置が人間工学的にも無理があり、操作性に欠けるものとなっている。
【０００８】
本発明の目的は、光学全長の長いズームレンズと固体撮像素子及び同回路部を含む結像光学系をユニット化してカメラボディ幅方向上部に配置し、またズームレンズの前に直角に光路を曲げるミラーを配置することにより、信号処理回路部及び画像表示部の実装効率を向上させ、小型化に適した携帯性及び操作性の良い電子映像カメラを提供することにある。
【０００９】
【課題を解決するための手段】
上記目的を達成するために本発明は、幅＞高さ＞厚さの関係を持つ略直方体のカメラボディと、前記カメラボディの撮影者側側面に配置されるファインダー機能と共に記録した画像を再生表示する画像表示部と、前記カメラボディに収納される、被写体側に配置された第１の信号処理回路基板と、前記第１の信号処理回路基板と略並行であって撮影者側に配置される第２の信号処理回路基板とからなる信号処理回路基板と、前記第１の信号処理回路基板と前記第２の信号処理回路基板との間に配置される記録媒体収納部と、前記第１の信号処理基板と第２の信号処理回路基板とからなる信号処理回路基板と、前記記録媒体収納部との上部に該カメラボディの幅方向に配置された、レンズ部及び撮像部とからなる光学系であって光学全長が前記厚さよりも長い結像光学系と、前記結像光学系のレンズ前方に配置された光軸を直角に曲げるミラーと、を備えることを特徴とする電子映像カメラを提供する。
【００１０】
また、上記電子映像カメラにおいて、撮像及び信号処理回路部はミラーによる左右反転を補正する画像の左右反転手段を備えるように構成する。
【００１１】
上記構成によれば、厚さが薄型であって、光学全長の長いズームレンズ等を搭載できる小型で実装性、操作性、携帯性に優れた電子映像カメラを提供できる。
【００１２】
【発明の実施の形態】
以下、図面を用いて本発明の実施の形態を説明する。図１は本発明の電子映像カメラの実施例のカメラ正面側斜め方向から見た概略構成図であり、図２は本発明の電子映像カメラの実施例のカメラ背面側斜め方向から見た概略構成図であり、図において同じ部位は同じ符号で示す。ここで、カメラボディは、幅＞高さ＞厚みの関係を持つ箱形形状が用いられる。
【００１３】
図１、図２において、２はレンズ駆動モーターを内蔵したズームレンズ部、３は左右反転機能を持つ固体撮像素子及び同回路部とからなる撮像部で、１３はこのズームレンズ部２と撮像部３からなるユニット化された結像光学系であり、この結像光学系１３はカメラボディ１の上部の幅方向に配置される。４はズームレンズ部２の前方に配置された光路を直角に曲げ光軸を被写体側に向けるミラー部である。このように構成することにより、通常の銀塩コンパクトカメラのように薄型のカメラボディを構えた状態でズーム撮影を可能としている。
【００１４】
５はファインダー機能及び記録した画像を再生して見る液晶画像表示部であり、６と６′はカメラの映像情報信号を処理する信号処理回路基板である。７は記録媒体８を収納する記録媒体収納部である。
【００１５】
また、カメラボディ１を背面側より臨んだ右側上部表面にはシャッターボタン９が配置され、背面側には、テレ・ワイド切り替え用ズームボタン１０が設けられている。更に、ボディ右側部にはバッテリー１１a を収納するバッテリー収納部１１を配置している。
【００１６】
１２はカメラボディ１の前面部に設けられたミラー部４、結像光学系１３の開口部である。尚、この開口部１２には図示していない防塵を兼ねたミラー部４の保護カバーが設けられている。
【００１７】
【発明の効果】
以上説明したように本発明の構成によれば、突出部がなく、幅＞高さ＞厚みの関係の非常に小型薄型の箱形形状になり携帯性に優れたカメラになる。
【００１８】
また、銀塩コンパクトカメラのように構えることができ、カメラ保持に無理がなく、容易にズーム切り替えやシャッター動作ができるので、操作性も良好となる。
【００１９】
また、結像光学系及びミラーの下に配置している信号処理回路基板など一部を切り欠かなくてもよいので有効実装面積が広くとれ、効率よく回路の引き回しができるので結果的に小型に構成でき、液晶画像表示部なども効率よく配置可能となる。
【図面の簡単な説明】
【図１】本発明の電子映像カメラの実施例のカメラ正面側斜め方向から見た概略構成図である。
【図２】本発明の電子映像カメラの実施例のカメラ背面側斜め方向から見た概略構成図である。
【図３】従来の結像光学系をボディ横に配置した電子カメラの正面側斜め方向から見た概略構成図である。
【図４】従来の板状形態の電子カメラの正面側斜め方向から見た概略構成図である。
【符号の説明】
１：カメラボディ
２：ズームレンズ部
３：撮像部
４：ミラー部
５：画像表示部
６, ６′：信号処理回路基板
７：記録媒体収納部
８：記録媒体
９：シャッターボタン
１０：ズームボタン
１１：バッテリー部
１１a ：バッテリー
１２：開口部
１３：結像光学系
３０：撮影ズームレンズ部
３１：固体撮像素子回路部
３２：カメラボディ
３３：信号処理回路基板
３４：記録媒体
３５：収納部
３６：記録媒体接続回路部
３７：バッテリー部
３８：液晶画像表示部
【図１】
0003833339.tif 000002
【図２】
0003833339.tif 000003
【図３】
0003833339.tif 000004
【図４】
0003833339.tif 000005